(57)【要約】【課題】  迅速にフォーカスサーチ動作を完了することができるフォーカスサーボ制御方法及び装置を提供する。【解決手段】  複数の情報記録層を備える記録媒体に対して、当該複数の情報記録層の内の一の情報記録層に光ビームを合焦させるフォーカスサーボ制御を行うフォーカスサーボ制御装置であって、前記記録媒体から読み出された情報に基づいて、当該記録媒体における情報記録層の総層数を認識する総層数認識手段と、再生中の情報記録層を認識する再生層認識手段と、フォーカス外れを検出する検出手段と、前記検出手段がフォーカス外れを検出した場合、フォーカスサーチ動作を行うフォーカスサーチ手段と、前記フォーカス外れの前に再生中であった情報記録層と前記情報記録層の総層数に基づいて、前記フォーカスサーチ手段のサーチ方向を制御する制御手段と、を備える。【選択図】      図１
2004164846.tif 000002
【特許請求の範囲】
【請求項１】
複数の情報記録層を備える記録媒体に対して、当該複数の情報記録層の内の一の情報記録層に光ビームを合焦させるフォーカスサーボ制御を行うフォーカスサーボ制御方法において、
前記記録媒体から読み出された情報に基づいて、当該記録媒体における情報記録層の総層数を認識する工程と、
再生中の情報記録層を認識する工程と、
フォーカス外れを検出する工程と、
前記フォーカス外れを検出した場合、前記フォーカス外れの前に再生中であった情報記録層と前記情報記録層の総層数に基づいて、フォーカスサーチ動作を行う工程と、
を備えることを特徴とするフォーカスサーボ制御方法。
【請求項２】
前記記録媒体の所定領域には前記情報記録層の総層数を示す情報が記録されており、
前記総層数を認識する工程においては、前記記録媒体に記録されている総層数を示す情報に基づいて前記総層数を認識することを特徴とする請求項１記載のフォーカスサーボ制御方法。
【請求項３】
複数の情報記録層を備える記録媒体に対して、当該複数の情報記録層の内の一の情報記録層に光ビームを合焦させるフォーカスサーボ制御を行うフォーカスサーボ制御方法において、
前記全ての情報記録層を通過するように前記光ビームの合焦位置を移動させ、当該移動中に検出されるフォーカスエラー信号に基づいて、当該記録媒体における情報記録層の総層数を認識する工程と、
再生中の情報記録層を認識する工程と、
フォーカス外れを検出する工程と、
前記フォーカス外れを検出した場合、前記フォーカス外れの前に再生中であった情報記録層と前記情報記録層の総層数に基づいて、フォーカスサーチ動作を行う工程と、
を備えることを特徴とするフォーカスサーボ制御方法。
【請求項４】
前記フォーカスサーチ動作を行う工程においては、前記再生中であった情報記録層が前記複数の情報記録層内において相対的に前記記録媒体における前記光ビームの入射面側に位置するとき、当該入射面側から非入射面側に前記光ビームの合焦位置を移動させてフォーカスサーチ動作を行い、前記再生中であった情報記録層が前記複数の情報記録層内において相対的に前記記録媒体における前記光ビームの非入射面側に位置するとき、当該非入射面側から前記入射面側に前記光ビームの合焦位置を移動させてフォーカスサーチ動作を行うことを特徴とする請求項１乃至３のいずれか一に記載のフォーカスサーボ制御方法。
【請求項５】
複数の情報記録層を備える記録媒体に対して、当該複数の情報記録層の内の一の情報記録層に光ビームを合焦させるフォーカスサーボ制御を行うフォーカスサーボ制御装置であって、
前記記録媒体から読み出された情報に基づいて、当該記録媒体における情報記録層の総層数を認識する総層数認識手段と、
再生中の情報記録層を認識する再生層認識手段と、
フォーカス外れを検出する検出手段と、
前記検出手段がフォーカス外れを検出した場合、フォーカスサーチ動作を行うフォーカスサーチ手段と、
前記フォーカス外れの前に再生中であった情報記録層と前記情報記録層の総層数に基づいて、前記フォーカスサーチ手段のサーチ方向を制御する制御手段と、
を備えることを特徴とするフォーカスサーボ制御装置。
【請求項６】
前記記録媒体の所定領域には前記情報記録層の総層数を示す情報が記録されており、
前記総層数認識手段は、前記記録媒体に記録されている総層数を示す情報に基づいて前記総層数を認識することを特徴とする請求項５記載のフォーカスサーボ制御装置。
【請求項７】
複数の情報記録層を備える記録媒体に対して、当該複数の情報記録層の内の一の情報記録層に光ビームを合焦させるフォーカスサーボ制御を行うフォーカスサーボ制御装置であって、
前記全ての情報記録層を通過するように前記光ビームの合焦位置を移動させ、当該移動中に検出されるフォーカスエラー信号に基づいて、当該記録媒体における情報記録層の総層数を認識する総層数認識手段と、
再生中の情報記録層を認識する再生層認識手段と、
フォーカス外れを検出する検出手段と、
前記検出手段がフォーカス外れを検出した場合、フォーカスサーチ動作を行うフォーカスサーチ手段と、
前記フォーカス外れの前に再生中であった情報記録層と前記情報記録層の総層数に基づいて、前記フォーカスサーチ手段のサーチ方向を制御する制御手段と、
を備えることを特徴とするフォーカスサーボ制御装置。
【請求項８】
前記制御手段は、前記再生中であった情報記録層が前記複数の情報記録層内において相対的に前記記録媒体における前記光ビームの入射面側に位置するとき、当該入射面側から非入射面側に前記光ビームの合焦位置を移動させてフォーカスサーチ動作を行い、前記再生中であった情報記録層が前記複数の情報記録層内において相対的に前記記録媒体における前記光ビームの非入射面側に位置するとき、当該非入射面側から前記入射面側に前記光ビームの合焦位置を移動させてフォーカスサーチ動作を行うべく前記フォーカスサーチ手段を制御することを特徴とする請求項５乃至７のいずれか一に記載のフォーカスサーボ制御装置。
【請求項９】
請求項５乃至８のいずれか一に記載のフォーカスサーボ制御装置と、記録すべき情報に対応して変調された前記光ビームを前記情報記録層に対して出射する出射手段と、
を備えることを特徴とする情報記録装置。
【請求項１０】
請求項５乃至８のいずれか一に記載のフォーカスサーボ制御装置と、前記情報記録層に対して前記光ビームを出射する出射手段と、前記光ビームの前記情報記録層からの反射光を受光して受光信号を出力する受光手段と、前記受光信号に対して再生処理を施して再生信号を出力する再生手段と、を備えることを特徴とする情報再生装置。
【発明の詳細な説明】
【技術分野】
【０００１】
本発明は、光ビームを用いて情報の記録再生を行う光ディスク（ＣＤ（Compact Disk）、ＣＤ−Ｒ（CD-Recordable）、ＤＶＤ、ＤＶＤ−Ｒ、ＤＶＤ−ＲＡＭ（DVD-Random Access Memory）等を含む）等の記録媒体であって、複数の記録層を備える記録媒体における各記録層に対して、夫々の記録層の位置と光ビームの焦点の位置とを一致させる合焦位置検索動作（いわゆる、フォーカスサーチ動作）を行うためのフォーカスサーボ制御方法及び装置の技術分野に属する。
【背景技術】
【０００２】
従来、情報を記録再生すべき記録層を複数層備えた上記記録媒体に対して当該情報の記録再生を行うための情報記録再生装置としては、光ビームを出射するためのレーザダイオード、偏向ビームスプリッタ、対物レンズ及び光ディテクタ等を含んだ光ピックアップから光ビームを出射し、この反射光を受光することにより情報の再生を行うと共に、当該光ビームを記録すべき情報に基づいて変調し、当該変調された光ビームを記録媒体に照射して情報の記録を行う情報記録再生装置が広く一般化している。
【０００３】
ここで、記録媒体に対して光ビームを照射するときには、その焦点と情報を記録再生すべき一の記録層（以下、記録再生層という。）の位置とを常に一致させる、いわゆるフォーカスサーボ制御動作が必要であり、当該フォーカスサーボ制御を開始するためには、記録再生層の位置を光ビームの焦点位置とする、いわゆる合焦位置検索動作（フォーカスサーチ動作）が必須である。そして、従来の上記情報記録再生装置においては、光ビームを集光させる対物レンズを記録再生層に対して垂直に移動させることにより上記フォーカスサーチ動作及びフォーカスサーボ制御動作を実行することが通常である。
【０００４】
一方、情報を記録再生中にそれまで一致していた光ビームの焦点の位置と記録再生層の位置とがずれた場合にも、上記フォーカスサーチ動作を行ってフォーカスサーボ制御動作を再開することが必要である。
【発明の開示】
【発明が解決しようとする課題】
【０００５】
しかしながら、従来の情報記録再生装置においては、複数の記録層を備える記録媒体に対してフォーカスサーチ動作を実行する場合、常に記録媒体から見て最も光ピックアップよりの記録層よりも更に光ピックアップ側の位置（光ピックアップ側の記録媒体以外の位置を含む。）に光ビームの焦点を一旦移動させ、その位置から光ピックアップから遠ざかる方向にフォーカスサーチ動作を行っていた。より具体的には、記録媒体から見て最も光ピックアップよりの記録層よりも更に光ピックアップ側の位置に光ビームの焦点を一旦移動させ、そこから光ビームの焦点が順次記録層上になるように対物レンズを光ピックアップから遠ざかる方向に移動させ、光ビームの焦点が各記録層を通過する際に一つづつ検出される、いわゆるフォーカスエラー信号におけるＳカーブを数えることにより合焦位置とすべき記録再生層を検索していたのである。
【０００６】
従って、このような場合には、記録再生層を検索するまで不要な時間が必要となるという問題点があった。
【０００７】
すなわち、例えば、６層の記録層を有する記録媒体において、光ピックアップから見て第５層目の記録層に対して情報の記録再生中に合焦位置がずれた場合、一時的に光ピックアップ側に対物レンズを移動させ、その位置からフォーカスサーチ動作を開始し、フォーカスエラー信号におけるＳカーブを五つ検出したときにその位置を合焦すべき位置としていたので、合焦位置を検索し終わるまでに不要な時間を費やしていたのである。
【０００８】
そこで、本発明は、上記の問題点に鑑みて為されたもので、その課題は、迅速に合焦位置検索動作を完了することができるフォーカスサーボ制御方法及び装置を提供することにある。
【課題を解決するための手段】
【０００９】
上記の課題を解決するために、請求項１に記載の発明は、複数の情報記録層を備える記録媒体に対して、当該複数の情報記録層の内の一の情報記録層に光ビームを合焦させるフォーカスサーボ制御を行うフォーカスサーボ制御方法において、前記記録媒体から読み出された情報に基づいて、当該記録媒体における情報記録層の総層数を認識する工程と、再生中の情報記録層を認識する工程と、フォーカス外れを検出する工程と、前記フォーカス外れを検出した場合、前記フォーカス外れの前に再生中であった情報記録層と前記情報記録層の総層数に基づいて、フォーカスサーチ動作を行う工程と、を備えるように構成される。
【００１０】
上記の課題を解決するために、請求項３に記載の発明は、複数の情報記録層を備える記録媒体に対して、当該複数の情報記録層の内の一の情報記録層に光ビームを合焦させるフォーカスサーボ制御を行うフォーカスサーボ制御方法において、前記全ての情報記録層を通過するように前記光ビームの合焦位置を移動させ、当該移動中に検出されるフォーカスエラー信号に基づいて、当該記録媒体における情報記録層の総層数を認識する工程と、再生中の情報記録層を認識する工程と、フォーカス外れを検出する工程と、前記フォーカス外れを検出した場合、前記フォーカス外れの前に再生中であった情報記録層と前記情報記録層の総層数に基づいて、フォーカスサーチ動作を行う工程と、を備えるように構成される。
【００１１】
上記の課題を解決するために、請求項５に記載の発明は、複数の情報記録層を備える記録媒体に対して、当該複数の情報記録層の内の一の情報記録層に光ビームを合焦させるフォーカスサーボ制御を行うフォーカスサーボ制御装置であって、前記記録媒体から読み出された情報に基づいて、当該記録媒体における情報記録層の総層数を認識する総層数認識手段と、再生中の情報記録層を認識する再生層認識手段と、フォーカス外れを検出する検出手段と、前記検出手段がフォーカス外れを検出した場合、フォーカスサーチ動作を行うフォーカスサーチ手段と、前記フォーカス外れの前に再生中であった情報記録層と前記情報記録層の総層数に基づいて、前記フォーカスサーチ手段のサーチ方向を制御する制御手段と、を備えるように構成される。
【００１２】
上記の課題を解決するために、請求項７に記載の発明は、複数の情報記録層を備える記録媒体に対して、当該複数の情報記録層の内の一の情報記録層に光ビームを合焦させるフォーカスサーボ制御を行うフォーカスサーボ制御手段であって、前記全ての情報記録層を通過するように前記光ビームの合焦位置を移動させ、当該移動中に検出されるフォーカスエラー信号に基づいて、当該記録媒体における情報記録層の総層数を認識する総層数認識手段と、再生中の情報記録層を認識する再生層認識手段と、フォーカス外れを検出する検出手段と、前記検出手段がフォーカス外れを検出した場合、フォーカスサーチ動作を行うフォーカスサーチ手段と、前記フォーカス外れの前に再生中であった情報記録層と前記情報記録層の総層数に基づいて、前記フォーカスサーチ手段のサーチ方向を制御する制御手段と、を備えるように構成される。
【００１３】
上記の課題を解決するために、請求項９に記載の発明は、請求項５乃至８のいずれか一に記載のフォーカスサーボ制御装置と、記録すべき情報に対応して変調された前記光ビームを前記情報記録層に対して出射する出射手段と、を備えるように構成される。
【００１４】
上記の課題を解決するために、請求項１０に記載の発明は、請求項５乃至８のいずれか一に記載のフォーカスサーボ制御装置と、前記情報記録層に対して前記光ビームを出射する出射手段と、前記光ビームの前記情報記録層からの反射光を受光して受光信号を出力する受光手段と、前記受光信号に対して再生処理を施して再生信号を出力する再生手段と、を備えるように構成される。
【発明を実施するための最良の形態】
【００１５】
次に、本発明に好適な実施の形態について、図１乃至図３を用いて説明する。なお、本発明は、２層の再生層を有する光ディスクにおける夫々の再生層に記録されている情報を読み出す情報再生装置について本発明を適用した実施の形態である。
【００１６】
（Ｉ）構成
先ず、図１を用いて実施形態に係る情報再生装置の構成について説明する。
【００１７】
図１（ａ）に示すように、実施形態の情報再生装置ＳＰは、光ビームＬを光ディスク１におけるいずれかの再生層上に集光するための対物レンズ及び光ディスク１からの反射光に対して非点収差を与える円筒レンズ等を含み、光ディスク１に対して上記光ビームＬを照射するとともに、光ディスク１からのそれぞれの光ビームＬの反射光を受光して、受光した反射光を電気信号Ｓに変換して出力する出射手段及び受光手段としての光ピックアップ２と、光ピックアップ２から出力された電気信号Ｓよりフォーカスエラー信号Ｓfe及びＲＦ信号Ｓrfを生成すると共にそれぞれ増幅するＲＦアンプ３と、増幅されたＲＦ信号Ｓrfをデコードして記録情報に対応する再生信号Ｓpを生成し、信号処理部１０に出力する再生手段としてのデコーダ４と、フォーカスエラー信号Ｓfeに基づいて後述のフォーカスドライブ信号Ｓfdを生成し光ビームＬにおけるフォーカスサーボ動作を行うサーボＩＣ６（本願のフォーカスサーチ手段）と、サーボＩＣ６との間でコントロール信号Ｓcの授受を行うことにより当該サーボＩＣ６におけるフォーカスサーボ動作を制御すると共に、情報再生装置ＳＰ全体を制御するＣＰＵ５（本願の総層数認識手段、再生層認識手段、検出手段、及び制御手段）と、ＣＰＵ５に対して必要な情報を入力するための入力部７と、ＣＰＵ５におけるフォーカスサーボ制御動作を含む制御処理に必要な情報を一時的に読み出し可能に記憶するメモリ８と、フォーカスドライブ信号Ｓfdに基づいて、光ピックアップ２に含まれる上記対物レンズを光ディスク１の情報記録面に対して垂直方向に駆動するフォーカスアクチュエータ９と、再生信号Ｓpに対して所定の信号処理を施し、外部に出力する再生手段としての信号処理部１０と、により構成されている。
【００１８】
一方、本実施形態の光ディスク１は、図１（ｂ）にその断面図を示すように、再生層として、夫々別個の情報が記録ピットを形成して記録されている第１再生層ＬＹ1及び第２再生層ＬＹ2を備えている。また、記録されている情報を再生するための上記光ビームＬは光ディスク１の下面側から照射されるものとする。そして、図１（ｂ）に示すように、第１再生層ＬＹ1に記録されている情報を再生するときには当該第１再生層ＬＹ1上に光ビームＬが集光されるように対物レンズＲ（光ディスク１の下面側に位置している。）の光ディスク１に対する位置がフォーカスアクチュエータ９により制御され、また、第２再生層ＬＹ2に記録されている情報を再生するときには当該第２再生層ＬＹ2上に光ビームＬが集光されるように対物レンズＲの光ディスク１に対する位置がフォーカスアクチュエータ９により制御される。なお、以下の説明においては、その便宜上、光ビームＬが照射される光ディスク１の下面を「ビーム照射面」と称し、反対側である光ディスク１の上面を「ビーム非照射面」と称することとする。
【００１９】
（II）動作
次に、本発明に係るフォーカスサーボ制御動作について、図２及び図３を用いて説明する。なお、図２に示す処理の前提として、光ディスク１における再生層の総層数（図１（ｂ）に示す光ディスク１の場合は「２」）が予め入力部２から入力され、ＣＰＵ５がこれを認識しているものとする。また、ＣＰＵ５は、サーボＩＣ６を制御するために、複数の再生層のうちいずれの再生層上の情報を再生中であるかをメモリ８に記憶させつつ常に認識している。
【００２０】
なお、光ディスク１における再生層の総層数については、入力部２から入力する他に、光ディスク１内の例えば最内周の領域に予め記録しておき、これを光ディスク１に対する記録再生に際して読み出すことによりＣＰＵ５が認識するようにしてもよい。
【００２１】
実施形態のフォーカスサーボ制御動作においては、図２に示すように、始めに、情報の再生中において、外部からの振動等によりフォーカス外れ（すなわち、光ビームＬの焦点位置が再生すべき第１再生層ＬＹ1又は第２再生層ＬＹ2の位置からずれること）が生じたか否かが判定され（ステップＳ１）、生じていないときは（ステップＳ１；ｎｏ）そのまま情報再生を継続し、フォーカス外れが生じたときは（ステップＳ１；ｙｅｓ）、次に、当該フォーカス外れが生じたときに再生していた再生層が光ディスク１におけるビーム照射面又はビーム非照射面のいずれに近いかが判定される（ステップＳ２）。ステップＳ２における判定においては、ＣＰＵ５において認識されている光ディスク１における再生層の総層数と、同じくＣＰＵ５において常に認識されている現在再生中である情報が記録されている再生層に基づいて判定される。より具体的には、実施形態の光ディスク１においては、第１再生層ＬＹ1を再生中であったときにフォーカス外れが生じた場合には、現在再生中の再生層はレーザ非照射面に近いと判定され、第２再生層ＬＹ2を再生中であったときにフォーカス外れが生じた場合には、現在再生中の再生層はレーザ照射面に近いと判定される。
【００２２】
ステップＳ２の判定において、現在再生中の再生層がレーザ照射面に近いと判定された場合には、次に対物レンズＲが一旦下方に移動され、光ビームＬの焦点が光ディスク１の下面側であって、第２再生層ＬＹ2よりも更に下側まで移動される（ステップＳ５）。
【００２３】
そして、その位置から、ＣＰＵ５の制御に基づいたサーボＩＣ６の動作により、ＣＰＵ５において認識されている再生層の総層数と、ＣＰＵ５において認識されている再生中であった再生層に基づき、光ディスク１の下面から上方に向かって（すなわち、光ディスク１のレーザ非照射面の方向に向かって）フォーカスサーチ動作が実行される（ステップＳ６。図３（ａ）参照）。このフォーカスサーチ動作は、光ビームＬの焦点を上方に移動しつつ検出されるフォーカスエラー信号ＳfeにおけるいわゆるＳカーブ（光ビームＬの焦点が再生層を通過するときに検出されるＳ字状のフォーカスエラー信号Ｓfe）の数を計数することにより、焦点を合せるべき再生層の位置を検索する。本実施形態においては、例えば、第２再生層ＬＹ2を再生中にフォーカス外れが発生すると、ステップＳ６のフォーカスサーチ動作においては、最初のＳカーブを検出したときにフォーカスサーチ動作が終了することとなる。
【００２４】
フォーカスサーチ動作により光ビームＬの焦点を合せるべき再生層が検知されると（ステップＳ６）その位置から元のフォーカスサーボ動作を再開する（ステップＳ７）。
【００２５】
そして、再生が終了したか否かが判定され（ステップＳ８）、終了しているときは（ステップＳ８；ｙｅｓ）そのまま処理を終了し、再生が終了していないときは（ステップＳ８；ｎｏ）ステップＳ１に戻って上記の動作を繰り返す。
【００２６】
一方、ステップＳ２の判定において、現在再生中の再生層がレーザ非照射面に近いと判定された場合には、次に対物レンズＲが一旦上方に移動され、光ビームＬの焦点が光ディスク１の上面側であって、第１再生層ＬＹ1よりも更に上側まで移動される（ステップＳ３）。
【００２７】
そして、その位置から、ＣＰＵ５の制御に基づいたサーボＩＣ６の動作により、ステップＳ６の場合と同様に、ＣＰＵ５に記憶されている再生層の総層数と、ＣＰＵ５において認識されている再生中であった再生層に基づき、光ディスク１の上面から下方に向かって（すなわち、光ディスク１のレーザ照射面の方向に向かって）フォーカスサーチ動作が実行される（ステップＳ４。図３（ｂ）参照）。このフォーカスサーチ動作は、光ビームＬの焦点を下方に移動しつつ検出される上記Ｓカーブの数を計数することにより、焦点を合せるべき再生層の位置を検索する。本実施形態においては、例えば、第１再生層ＬＹ1を再生中にフォーカス外れが発生すると、ステップＳ４のフォーカスサーチ動作においては、最初のＳカーブを検出したときにフォーカスサーチ動作が終了することとなる。
【００２８】
フォーカスサーチ動作により光ビームＬの焦点を合せるべき再生層が検知されると（ステップＳ４）その位置から元のフォーカスサーボ動作を再開する（ステップＳ７）。これ以降は、上述のステップＳ８の動作が実行される。
【００２９】
以上説明したように、実施形態の情報再生装置ＳＰにおけるフォーカスサーボ動作によれば、複数の再生層を備える光ディスク１において、そのレーザ照射面又はレーザ非照射面のうち、再生すべき再生層に近い面からフォーカスサーチ動作を開始するので、フォーカスサーチ動作終了までの時間を短縮できる。
【００３０】
より具体的には、近年開発が盛んなＤＶＤにおいては、一の再生層に対するフォーカスサーチ動作には約１．５msecを必要とするので、本実施形態によれば、再生すべき再生層から遠い面よりフォーカスサーチ動作を開始する場合に比して約１．５msecだけフォーカスサーボ制御動作を開始するまでの時間を短縮することができる。
【００３１】
また、フォーカス外れが生じたときに、各再生層に対するフォーカスサーチ動作を開始するので、迅速にフォーカスサーチ動作を終了させてフォーカスサーボ制御を再開することができる。
【００３２】
更に、対物レンズＲを各再生層に垂直な方向に移動させることによりフォーカスサーチ動作を行うので、簡易な構成でフォーカスサーチ動作を行うことができる。
【００３３】
更にまた、それまで記録していた再生層に対するフォーカスサーチ動作を迅速化して情報を再生することができる。
【００３４】
なお、上述の実施形態においては、光ディスク１における総層数は入力部７における入力によりＣＰＵ５が認識することとしたが、これに限らず、光ディスク１の再生前に、全ての再生層を光ビームＬの焦点が通過するように対物レンズＲを移動させ、このときに検出された上記Ｓカーブの数を認識することにより当該総層数を認識するようにしてもよい。
【００３５】
このようにすれば、全ての再生層に対してＳカーブの検出動作（すなわち、フォーカスサーチ動作）を実行することにより総層数を認識するので、確実に総層数を認識することができる。
【００３６】
また、フォーカス外れが生じたときに上記フォーカスサーチ動作を実行するだけでなく、入力部７からの入力信号Ｓinに基づいてフォーカスサーチ動作を開始してもよい。
【００３７】
更に、情報の再生時に、他の再生層に故意的に移動する場合において、当該移動すべき再生層を検知するときに上記フォーカスサーチ動作を実行するようにしてもよい。
【００３８】
更にまた、上記フォーカスサーチ動作は、情報の再生時だけでなく、記録可能な記録層を複数備える光ディスクにおける当該複数の記録層のうちのいずれかに光ビームの焦点を合わせて情報を記録する際にも適用することができる。この場合には、情報記録時における光ビームＬが記録すべき情報に基づいて変調されて出力されることとなる。
【００３９】
更に、２層の再生層（又は記録層）を備える光ディスクだけでなく、３層以上の再生層（又は記録層）を備える光ディスクに対して本発明を適用することもできる。すなわち、例えば、５層の再生層（又は記録層）を有する光ディスクにおいて、レーザ照射面から４層目の再生層（又は記録層）に対して情報の記録再生中にフォーカス外れが生じた場合は、光ビームの焦点を最もレーザ非照射面に近い再生層（又は記録層）よりも更にレーザ非照射面側の位置（光ディスク以外の位置を含む。）に移動させ、そこからレーザ照射面に向かってフォーカスサーチ動作を開始すれば、迅速に元の４層目の再生層（又は記録層）に復帰することができる。
【００４０】
また、５層の再生層（又は記録層）を有する光ディスクにおいて、レーザ照射面から２層目の再生層（又は記録層）に対して情報の記録再生中にフォーカス外れが生じた場合は、光ビームの焦点を最もレーザ照射面に近い再生層（又は記録層）よりも更にレーザ照射面側の位置（光ディスク以外の位置を含む。）に移動させ、そこからレーザ非照射面に向かってフォーカスサーチ動作を開始すれば、迅速に元の２層目の再生層（又は記録層）に復帰することができる。
【００４１】
このとき、本発明におけるフォーカスサーボ制御動作を開始するまでの時間短縮の効果は、層数の多い光ディスクであるほど顕著な効果を奏することとなる。
【００４２】
また、上記の実施形態では光ディスクに対して情報を記録再生する場合について説明したが、これ以外に、光ビームを用いて情報の記録再生を行うものであれば、例えば、テープ状の記録媒体に対して本発明を適用することも可能である。
【図面の簡単な説明】
【００４３】
【図１】情報再生装置の概要構成を示すブロック図及び光ディスクの構造を示す断面図であり、（ａ）は情報再生装置の概要構成を示すブロック図であり、（ｂ）は光ディスクの構造を示す断面図である。
【図２】フォーカスサーボ動作を示すフローチャートである。
【図３】フォーカスサーチ動作を示す図であり、（ａ）は光ディスクの下面から上面に向かってフォーカスサーチ動作を行う場合を示す図であり、（ｂ）は光ディスクの上面から下面に向かってフォーカスサーチ動作を行う場合を示す図である。
【符号の説明】
【００４４】
１…光ディスク
２…光ピックアップ
３…ＲＦアンプ
４…デコーダ
５…ＣＰＵ
６…サーボＩＣ
７…入力部
８…メモリ
９…フォーカスアクチュエータ
１０…信号処理部
ＬＹ1…第１再生層
ＬＹ2…第２再生層
Ｒ…対物レンズ
Ｌ…光ビーム
Ｓ…電気信号
Ｓrf…ＲＦ信号
Ｓfe…フォーカスエラー信号
Ｓfd…フォーカスドライブ信号
Ｓin…入力信号
Ｓp…再生信号
Ｓc…コントロール信号
ＳＰ…情報再生装置
【図１】
2004164846.tif 000003
【図２】
2004164846.tif 000004
【図３】
2004164846.tif 000005